(57)【特許請求の範囲】
【請求項１】
おむつを交換するために乳幼児を載置するためのおむつ交換台又は当該おむつ交換台の近傍に配置される音声告知装置であって、
前記おむつ交換台の使用状態を検知する使用状態検知手段と、
利用者に対する所定音声を出力する音声出力手段と、
前記使用状態検知手段の検知結果に基づいて、前記利用者に対して前記所定音声が出力されるように、前記音声出力手段を制御する音声出力制御手段と、
を備えることを特徴とするおむつ交換のための音声告知装置。
【請求項２】
前記使用状態検知手段は、前記乳幼児を載置するために前記おむつ交換台に開閉自在に設けられたシートの開閉状態を検知する開閉状態検知手段を有すること、
を特徴とする請求項１に記載のおむつ交換のための音声告知装置。
【請求項３】
前記使用状態検知手段は、前記乳幼児を載置するために前記おむつ交換台に開閉自在に設けられたシートにおける前記乳幼児の載置状態を検知する載置状態検知手段を有すること、
を特徴とする請求項１又は２に記載のおむつ交換のための音声告知装置。
【請求項４】
前記使用状態検知手段は、前記乳幼児を載置するために前記おむつ交換台に開閉自在に設けられたシートにおいて前記乳幼児を固定するための固定ベルトの着脱状態を検知する着脱状態検知手段を有すること、
を特徴とする請求項１から３のいずれか一項に記載のおむつ交換のための音声告知装置。
【請求項５】
前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおいて前記乳幼児を固定するための固定ベルトの着脱状態を検知する着脱状態検知手段と、を有し、
前記音声出力制御手段は、前記開閉状態検知手段にて前記シートが開かれたことが検知されている状態において、当該シートが開かれたことが検知されてから、前記固定ベルトが装着されたことが前記着脱状態検知手段にて検知されることなく所定時間が経過した時点で、前記利用者に対して前記所定音声が出力されるように、前記音声出力手段を制御すること、
を特徴とする請求項１から４のいずれか一項に記載のおむつ交換のための音声告知装置。
【請求項６】
前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、
前記音声出力制御手段は、前記開閉状態検知手段にて前記シートが開かれたことが検知されている状態において、当該シートが開かれたことが検知されてから、前記乳幼児が載置されたことが前記載置状態検知手段にて検知されないまま、前記固定ベルトが装着されたことが前記着脱状態検知手段にて検知されることなく所定時間が経過した時点で、前記利用者に対して前記所定音声が出力されるように、前記音声出力手段を制御すること、
を特徴とする請求項１から５のいずれか一項に記載のおむつ交換のための音声告知装置。
【請求項７】
前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、
前記音声出力制御手段は、前記開閉状態検知手段にて前記シートが開かれたことが検知されている状態において、前記乳幼児が載置されたことが前記載置状態検知手段にて検知されないまま、前記固定ベルトが装着されたことが前記着脱状態検知手段にて検知された時点で、前記利用者に対して前記所定音声が出力されるように、前記音声出力手段を制御すること、
を特徴とする請求項１から６のいずれか一項に記載のおむつ交換のための音声告知装置。
【請求項８】
前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、
前記音声出力制御手段は、前記開閉状態検知手段にて前記シートが開かれたことが検知されている状態であり、かつ、前記乳幼児が載置されたことが前記載置状態検知手段にて検知されている状態において、当該乳幼児が載置されたことが検知されてから、前記固定ベルトが装着されたことが前記着脱状態検知手段にて検知されることなく所定時間が経過した時点で、前記利用者に対して前記所定音声が出力されるように、前記音声出力手段を制御すること、
を特徴とする請求項１から７のいずれか一項に記載のおむつ交換のための音声告知装置。
【請求項９】
前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、
前記音声出力制御手段は、前記開閉状態検知手段にて前記シートが開かれたことが検知されている状態であり、前記乳幼児が載置されたことが前記載置状態検知手段にて検知されている状態であり、かつ、前記固定ベルトが装着されたことが前記着脱状態検知手段にて検知されている状態において、当該乳幼児が載置されたことが前記載置状態検知手段にて検知されなくなった場合には、当該乳幼児が載置されたことが検知されなくなってから所定時間が経過した時点で、前記利用者に対して前記所定音声が出力されるように、前記音声出力手段を制御すること、
を特徴とする請求項１から８のいずれか一項に記載のおむつ交換のための音声告知装置。
【請求項１０】
前記おむつ交換台を用いて乳幼児のおむつの交換作業を行なう利用者を検知する利用者検知手段を備え、
前記音声出力制御手段は、前記使用状態検知手段の検知結果と、前記利用者検知手段の検知結果とに基づいて、前記利用者に対して前記所定音声が出力されるように、前記音声出力手段を制御すること、
を特徴とする請求項１から９のいずれか一項に記載の音声告知装置。
【請求項１１】
前記利用者検知手段は、前記利用者を感知する人感センサであること、
を特徴とする請求項１０に記載の音声告知装置。
【請求項１２】
前記音声出力制御手段は、前記利用者検知手段にて検知されている前記利用者が所定時間以上停止した場合に前記所定音声が出力されるように、前記音声出力手段を制御すること、
を特徴とする請求項１０又は１１に記載の音声告知装置。
【請求項１３】
おむつを交換するために乳幼児を載置するためのおむつ交換台であって、
前記請求項１から１２のいずれか一項に記載の音声告知装置を備えること、
を特徴とするおむつ交換台。
【発明の詳細な説明】
【技術分野】
【０００１】
本発明は、乳幼児のおむつ交換を行う利用者に対して音声告知を行うための音声告知装置と、この音声告知装置を備えたおむつ交換台に関する。
【背景技術】
【０００２】
従来、百貨店の如き商業施設又は公共施設等の洗面所や化粧室で乳幼児のおむつ交換を行うためのおむつ交換台が提案されている。このおむつ交換台は、概略的には、乳幼児を載置可能なシートを開閉自在に備えて構成されており、水平状に開いたシートに乳幼児を載置させた状態で、おむつ交換を行うことができる（例えば、特許文献１参照）。
【０００３】
このようなおむつ交換台においては、利用者（乳幼児のおむつ交換を行う者であり、通常は、乳幼児の保護者）が、シートに乳幼児を寝かせたまま、洗面や化粧等の自らの用事を済ますために乳幼児から目を離してしまう可能性があり、乳幼児が寝返り等によっておむつ交換台から移動してしまう等、乳幼児の安全性が確保され難い場合があった。このため近年では、おむつ交換台の近傍に、利用者に対する注意喚起のためのステッカー等を貼付することが行われている。
【先行技術文献】
【特許文献】
【０００４】
【特許文献１】特開２００３−５２４９４号公報
【発明の概要】
【発明が解決しようとする課題】
【０００５】
しかしながら、従来のステッカーによる注意喚起では、目視による注意喚起であるために、当該ステッカーを利用者の目に触れる場所に貼付する必要があり、ステッカーの貼付場所の確保が困難であったり、おむつ交換台やその周囲の構造物のデザイン性を損なう可能性があった。
【０００６】
あるいは、従来のステッカーによる注意喚起は、利用者が当該ステッカーを能動的に見なければ気付かないものであり、他のことに気を取られていてステッカーに全く気が付かない利用者が存在する等、注意喚起の効果が必ずしも十分でない場合があった。
【０００７】
本発明は、上記に鑑みてなされたものであって、おむつ交換台の利用者に対して視覚に依存することなく注意喚起を一層効果的に行うことができる、おむつ交換のための音声告知装置及びこの音声告知装置を備えたおむつ交換台を提供することを目的とする。
【課題を解決するための手段】
【０００８】
上述した課題を解決し、目的を達成するために、請求項１に記載のおむつ交換のための音声告知装置は、おむつを交換するために乳幼児を載置するためのおむつ交換台又は当該おむつ交換台の近傍に配置される音声告知装置であって、前記おむつ交換台の使用状態を検知する使用状態検知手段と、利用者に対する所定音声を出力する音声出力手段と、前記使用状態検知手段の検知結果に基づいて、前記利用者に対して前記所定音声が出力されるように、前記音声出力手段を制御する音声出力制御手段とを備えることを特徴とする。
【０００９】
また、請求項２に記載のおむつ交換のための音声告知装置は、請求項１に記載のおむつ交換のための音声告知装置において、前記使用状態検知手段は、前記乳幼児を載置するために前記おむつ交換台に開閉自在に設けられたシートの開閉状態を検知する開閉状態検知手段を有することを特徴とする。
【００１０】
また、請求項３に記載のおむつ交換のための音声告知装置は、請求項１又は２に記載のおむつ交換のための音声告知装置において、前記使用状態検知手段は、前記乳幼児を載置するために前記おむつ交換台に開閉自在に設けられたシートにおける前記乳幼児の載置状態を検知する載置状態検知手段を有することを特徴とする。
【００１１】
また、請求項４に記載のおむつ交換のための音声告知装置は、請求項１から３のいずれか一項に記載のおむつ交換のための音声告知装置において、前記使用状態検知手段は、前記乳幼児を載置するために前記おむつ交換台に開閉自在に設けられたシートにおいて前記乳幼児を固定するための固定ベルトの着脱状態を検知する着脱状態検知手段を有することを特徴とする。
【００１２】
また、請求項５に記載のおむつ交換のための音声告知装置は、請求項１から４のいずれか一項に記載のおむつ交換のための音声告知装置において、前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおいて前記乳幼児を固定するための固定ベルトの着脱状態を検知する着脱状態検知手段と、を有し、前記音声出力制御手段は、前記開閉状態検知手段にて前記シートが開かれたことが検知されている状態において、当該シートが開かれたことが検知されてから、前記固定ベルトが装着されたことが前記着脱状態検知手段にて検知されることなく所定時間が経過した時点で、前記利用者に対して前記所定音声が出力されるように、前記音声出力手段を制御することを特徴とする。
【００１３】
また、請求項６に記載のおむつ交換のための音声告知装置は、請求項１から５のいずれか一項に記載のおむつ交換のための音声告知装置において、前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、前記音声出力制御手段は、前記開閉状態検知手段にて前記シートが開かれたことが検知されている状態において、当該シートが開かれたことが検知されてから、前記乳幼児が載置されたことが前記載置状態検知手段にて検知されないまま、前記固定ベルトが装着されたことが前記着脱状態検知手段にて検知されることなく所定時間が経過した時点で、前記利用者に対して前記所定音声が出力されるように、前記音声出力手段を制御することを特徴とする。
【００１４】
また、請求項７に記載のおむつ交換のための音声告知装置は、請求項１から６のいずれか一項に記載のおむつ交換のための音声告知装置において、前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、前記音声出力制御手段は、前記開閉状態検知手段にて前記シートが開かれたことが検知されている状態において、前記乳幼児が載置されたことが前記載置状態検知手段にて検知されないまま、前記固定ベルトが装着されたことが前記着脱状態検知手段にて検知された時点で、前記利用者に対して前記所定音声が出力されるように、前記音声出力手段を制御することを特徴とする。
【００１５】
また、請求項８に記載のおむつ交換のための音声告知装置は、請求項１から７のいずれか一項に記載のおむつ交換のための音声告知装置において、前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、前記音声出力制御手段は、前記開閉状態検知手段にて前記シートが開かれたことが検知されている状態であり、かつ、前記乳幼児が載置されたことが前記載置状態検知手段にて検知されている状態において、当該乳幼児が載置されたことが検知されてから、前記固定ベルトが装着されたことが前記着脱状態検知手段にて検知されることなく所定時間が経過した時点で、前記利用者に対して前記所定音声が出力されるように、前記音声出力手段を制御することを特徴とする。
【００１６】
また、請求項９に記載のおむつ交換のための音声告知装置は、請求項１から８のいずれか一項に記載のおむつ交換のための音声告知装置において、前記使用状態検知手段は、前記乳幼児を載置するために前記おむつ交換台に開閉自在に設けられたシートの開閉状態を検知する開閉状態検知手段と、前記乳幼児を載置するために前記おむつ交換台に開閉自在に設けられたシートにおける前記乳幼児の載置状態を検知する載置状態検知手段と、前記乳幼児を載置するために前記おむつ交換台に開閉自在に設けられたシートにおいて前記乳幼児を固定するための固定ベルトの着脱状態を検知する着脱状態検知手段と、を有し、前記音声出力制御手段は、前記開閉状態検知手段にて前記シートが開かれたことが検知されている状態であり、前記乳幼児が載置されたことが前記載置状態検知手段にて検知されている状態であり、かつ、前記固定ベルトが装着されたことが前記着脱状態検知手段にて検知されている状態において、当該乳幼児が載置されたことが前記載置状態検知手段にて検知されなくなった場合には、当該乳幼児が載置されたことが検知されなくなってから所定時間が経過した時点で、前記利用者に対して前記所定音声が出力されるように、前記音声出力手段を制御することを特徴とする。
【００１７】
また、請求項１０に記載のおむつ交換のための音声告知装置は、請求項１から９のいずれか一項に記載のおむつ交換のための音声告知装置において、前記おむつ交換台を用いて乳幼児のおむつの交換作業を行なう利用者を検知する利用者検知手段を備え、前記音声出力制御手段は、前記使用状態検知手段の検知結果と、前記利用者検知手段の検知結果とに基づいて、前記利用者に対して前記所定音声が出力されるように、前記音声出力手段を制御することを特徴とする。
【００１８】
また、請求項１１に記載のおむつ交換のための音声告知装置は、請求項１０に記載のおむつ交換のための音声告知装置において、前記利用者検知手段は、前記利用者を感知する人感センサであることを特徴とする。
【００１９】
また、請求項１２に記載のおむつ交換のための音声告知装置は、請求項１０又は１１に記載のおむつ交換のための音声告知装置において、前記音声出力制御手段は、前記利用者検知手段にて検知されている前記利用者が所定時間以上停止した場合に前記所定音声が出力されるように、前記音声出力手段を制御することを特徴とする。
【００２０】
また、請求項１３に記載のおむつ交換台は、おむつを交換するために乳幼児を載置するためのおむつ交換台であって、前記請求項１から１２のいずれか一項に記載の音声告知装置を備えることを特徴とする。
【発明の効果】
【００２１】
請求項１に記載のおむつ交換のための音声告知装置によれば、使用状態検知手段の検知結果に基づいて、利用者に対して所定音声が自動的に出力されるので、おむつ交換台の使用に関する注意喚起を音声によって自動的に行うことができ、おむつ交換台の使用上の安全性を一層向上させることが可能になる。特に、注意喚起を音声出力によって行うことができるので、音声が利用者に届く限りにおいて、音声告知装置を任意の場所に設置することができる。このため、ステッカーのように利用者の目視範囲に設置する必要がなくなり、音声告知装置の設置場所を容易に確保できる。また、音声告知装置を利用者から隠れた場所に配置することも可能になるため、おむつ交換台やその周囲の構造物のデザイン性を維持することができる。さらに、視覚障害者に対しても注意喚起を行うことが可能となる。
【００２２】
請求項２に記載のおむつ交換のための音声告知装置によれば、シートの開閉状態に基づいて所定音声が自動的に出力されるので、シートが開かれている場合にはおむつ交換台の使用に関する注意喚起を自動的に行う等、シートの開閉状態に合致した注意喚起を行うことが可能となる。
【００２３】
請求項３に記載のおむつ交換のための音声告知装置によれば、乳幼児の載置状態に基づいて所定音声が自動的に出力されるので、乳幼児が載置されている場合にはおむつ交換台の使用に関する注意喚起を自動的に行う等、乳幼児の載置状態に合致した注意喚起を行うことが可能となる。
【００２４】
請求項４に記載のおむつ交換のための音声告知装置によれば、固定ベルトの着脱状態に基づいて所定音声が自動的に出力されるので、固定ベルトが装着されていない場合にはおむつ交換台の使用に関する注意喚起を自動的に行う等、固定ベルトの着脱状態に合致した注意喚起を行うことが可能となる。
【００２５】
請求項５に記載のおむつ交換のための音声告知装置によれば、シートが開かれたことが検知されている状態において、当該シートが開かれたことが検知されてから、固定ベルトが装着されたことが検知されることなく所定時間が経過した時点で所定音声が出力されるので、乳幼児の載置状態を検知する載置状態検知手段を備えていないような比較的簡易な構成の音声告知装置であっても、シートが開かれていることに基づいて、乳幼児が載置されている可能性があるものと判定し、この場合に固定ベルトが装着されていない場合には固定ベルトの装着を促す音声出力等を行うことで、おむつ交換台の使用上の安全性を一層向上させることが可能になる。
【００２６】
請求項６に記載のおむつ交換のための音声告知装置によれば、シートが開かれたことが検知されている状態において、当該シートが開かれたことが検知されてから、乳幼児が載置されたことが検知されないまま、固定ベルトが装着されたことが検知されることなく所定時間が経過した時点で所定音声が出力されるので、シートが開かれているにも関わらず乳幼児の載置や固定ベルトの装着が行われないような場合であっても、シートが開かれた状態からのおむつ交換台の適切な使用方法をガイダンスする音声出力等を行うことで、おむつ交換台の使用上の安全性を一層向上させることが可能になる。
【００２７】
請求項７に記載のおむつ交換のための音声告知装置によれば、シートが開かれたことが検知されている状態において、乳幼児が載置されたことが検知されないまま、固定ベルトが装着されたことが検知された時点で所定音声が出力されるので、乳幼児が載置されていないにも関わらず固定ベルトのみが誤って装着されているような場合であっても、固定ベルトの適切な使用方法をガイダンスする音声出力等を行うことで、おむつ交換台の使用上の安全性を一層向上させることが可能になる。
【００２８】
請求項８に記載のおむつ交換のための音声告知装置によれば、シートが開かれたことが検知されている状態であり、かつ、乳幼児が載置されたことが検知されている状態において、当該乳幼児が載置されたことが検知されてから、固定ベルトが装着されたことが検知されることなく所定時間が経過した時点で所定音声が出力されるので、乳幼児が載置されているにも関わらず固定ベルトが装着されないような場合であっても、固定ベルトの適切な使用方法をガイダンスする音声出力等を行うことで、おむつ交換台の使用上の安全性を一層向上させることが可能になる。
【００２９】
請求項９に記載のおむつ交換のための音声告知装置によれば、シートが開かれたことが検知されている状態であり、乳幼児が載置されたことが検知されている状態であり、かつ、固定ベルトが装着されたことが検知されている状態において、当該乳幼児が載置されたことが検知されなくなった場合には、当該乳幼児が載置されたことが検知されなくなってから所定時間が経過した時点で所定音声が出力されるので、乳幼児を一旦載置させて固定ベルトも装着した後で、乳幼児が動いてシートの適切な位置からずれてしまったような場合であっても、乳幼児の載置状態を確認することを促す音声出力等を行うことで、おむつ交換台の使用上の安全性を一層向上させることが可能になる。
【００３０】
請求項１０に記載のおむつ交換のための音声告知装置によれば、利用者の検知状態に基づいて音声出力が行われるので、利用者の存否やその動作状態を感知でき、利用者がおむつ交換台から離れた場合にのみ音声出力を行う等、利用者の状態に応じた適切なタイミングで音声出力を行うことができる。
【００３１】
請求項１１に記載のおむつ交換のための音声告知装置によれば、人感センサによって利用者を検知できるので、利用者の存否やその動作状態を感知でき、これら利用者の状態に応じた音声出力を行うことができる。
【００３２】
請求項１２に記載のおむつ交換のための音声告知装置によれば、利用者が所定時間以上停止した場合に所定音声を出力するので、利用者がおむつ交換台を離れた可能性が高い場合にのみ音声出力を行うことができ、不用意に音声出力を行って利用者を煩わせることを防止できる。
【００３３】
請求項１３に記載のおむつ交換台によれば、請求項１から請求項１２のいずれか一項に記載のおむつ交換のための音声告知装置による上記効果を奏するおむつ交換台を得ることができ、使用上の安全性を一層向上させたおむつ交換台を構成することが可能になる。
【図面の簡単な説明】
【００３４】
【図１】本発明の実施の形態１に係るおむつ交換台を壁体と共に示す全体斜視図であり、おむつ交換台の閉状態を示す図である。
【図２】図１のおむつ交換台の開状態を示す図である。
【図３】おむつ交換台を示す図であり、（ａ）はおむつ交換台の閉状態における正面図、（ｂ）はおむつ交換台の開状態における側面図、（ｃ）はおむつ交換台の開状態における平面図である。
【図４】音声告知装置の電気的構成を機能概念的に示すブロック図である。
【図５】モード１による音声出力制御処理のフローチャートの一例である。
【図６】モード２による音声出力制御処理のフローチャートの一例である。
【図７】図６に続く、モード２による音声出力制御処理のフローチャートの一例である。
【図８】実施の形態２に係るおむつ交換台を壁体と共に示す全体斜視図であり、おむつ交換台の閉状態を示す図である。
【図９】図８のおむつ交換台の開状態を示す図である。
【図１０】おむつ交換台を示す図であり、（ａ）はおむつ交換台の閉状態における正面図、（ｂ）はおむつ交換台の開状態における側面図、（ｃ）はおむつ交換台の開状態における平面図である。
【図１１】１０（ａ）の音声告知装置の周辺の拡大図である。
【図１２】音声告知装置の電気的構成を機能概念的に示すブロック図である。
【図１３】人感センサの検知範囲を示す図であり、（ａ）は閉状態のおむつ交換台の正面図と共に示す図、（ｂ）は開状態のおむつ交換台の側面図と共に示す図、（ｃ）は開状態のおむつ交換台の平面図と共に示す図である。
【図１４】音声出力制御処理のフローチャートの一例である。
【発明を実施するための形態】
【００３５】
以下に添付図面を参照して、この発明に係るおむつ交換のための音声告知装置及びこの音声告知装置を備えたおむつ交換台の各実施の形態を詳細に説明する。
【００３６】
〔実施の形態１〕
最初に、実施の形態１について説明する。この実施の形態１は、おむつ交換台の使用状態を検知する使用状態検知手段として、開閉センサ、シートセンサ、及び着脱センサを設けた形態である。
【００３７】
（構成）
最初に、各部の構成について説明する。図１及び図２は、実施の形態１に係るおむつ交換台を壁体と共に示す全体斜視図であり、図１にはおむつ交換台の閉状態、図２にはおむつ交換台の開状態を示す。図３は、おむつ交換台を示す図であり、（ａ）はおむつ交換台の閉状態における正面図、（ｂ）はおむつ交換台の開状態における側面図、（ｃ）はおむつ交換台の開状態における平面図である。これら図１から図３に示すように、壁体１に対しておむつ交換台１０が固定されており、このおむつ交換台１０には音声告知装置１００が取り付けられている。
【００３８】
（構成−おむつ交換台）
まず、おむつ交換台１０の構成について説明する。おむつ交換台１０は、概略的に、シート２０、取付ベース３０、及び固定脚４０を備えて構成されている。
【００３９】
シート２０は、乳幼児を載置するためのもので、略平板状に形成されており、図２の開状態において上側となる方の平坦面に、乳幼児を寝かせておむつ交換等を行うことができる。このシート２０には、図３（ｂ）（ｃ）に示すように、当該シート２０に寝かせた乳幼児を固定するための固定ベルト２１と、この固定ベルト２１を着脱自在に固定するための着脱部２２が設けられている。また、図３（ｃ）に示すように、このシート２０の取付ベース３０側の端部２３には、当該端部２３を貫通して当該端部２３の左右の両側方に延出する図示しない回転軸が設けられている。この回転軸は、当該端部２３の左右の両側方の各々において、取付ベース３０に設けた図示しない軸受に回転可能に支持されている。このような支持構造によって、シート２０を取付ベース３０に対して回転軸を中心に開閉自在に固定でき、未使用時には図１に示すように、シート２０を壁体１に沿った位置に閉じることで、スペースの使用効率を向上させることができる。
【００４０】
取付ベース３０は、シート２０の端部２３を壁体１に対して回転可能に支持する支持手段であり、その内部には、上述したシート２０の回転軸を支持する図示しない軸受が設けられている。この軸受には、回転軸に対して所定方向の付勢力を与えるための図示しない付勢バネを設けることができる。
【００４１】
固定脚４０は、おむつ交換台１０や乳幼児の荷重を床面に伝達することにより、壁体１への荷重を軽減する補助支持構造体であり、その下端部を床面に対して図示しないアンカーにて固定することで、固定脚４０を床面に取り付けることができる。ただし、取付ベース３０のみを介しておむつ交換台１０を壁体１に固定できる場合には、固定脚４０を省略してもよい。
【００４２】
（構成−音声告知装置）
次に、音声告知装置１００の構成について説明する。この音声告知装置１００は、おむつを交換する利用者に対する告知音声を自動的に出力するための装置であり、おむつ交換台１０に取り付けられている。なお、音声告知装置１００の設置場所については、特に限定されることのない設計事項である。図４は、音声告知装置１００の電気的構成を機能概念的に示すブロック図である。この図４に示すように、音声告知装置１００は、開閉センサ１０１、２つのシートセンサ１０２ａ、１０２ｂ、着脱センサ１０３、スピーカ１０４、記憶部１０５、電池１０６、及び制御部１１０を備えて構成されており、これら各部が図４に示すように相互に電気的に接続されている。
【００４３】
開閉センサ１０１は、おむつ交換台１０の使用状態を検知する使用状態検知手段であり、より具体的には、乳幼児を載置するためにおむつ交換台１０に開閉自在に設けられたシート２０の開閉状態を検知する開閉状態検知手段である。例えば、開閉センサ１０１は、シート２０の端部２３の近傍位置に配置された磁気センサとして構成されており、図１のようにシート２０が閉じられている状態では、当該シート２０が開閉センサ１０１から離れているために自動的にＯＦＦとなり、図２のようにシート２０が開かれている状態では、当該シート２０が開閉センサ１０１に近接又は接触することで当該シート２０が磁気的に感知されて自動的にＯＮとなり、このことによってシート２０の開閉状態を感知する。
【００４４】
図４に示す２つのシートセンサ１０２ａ、１０２ｂは、おむつ交換台１０の使用状態を検知する使用状態検知手段であり、より具体的には、乳幼児を載置するためにおむつ交換台１０に開閉自在に設けられたシート２０における乳幼児の載置状態を検知する載置状態検知手段である。例えば、シートセンサ１０２ａ、１０２ｂは、シート２０における乳幼児の載置面に設けられた圧力センサであり、感知した重量に相当する電圧を後述する音声出力制御部１１０ａに出力する。この音声出力制御部１１０ａは、記憶部１０５に記憶された図示しない変換テーブルを参照して、シートセンサ１０２ａ、１０２ｂからの電圧を重量に変換し、この重量が乳幼児の体重に相当する所定重量（例えば３ｋｇ）以上である場合には、シート２０に乳幼児が載置されているものと判定する。なお、シートセンサ１０２ａ、１０２ｂの具体的種類は任意であるが、シート２０に載置された乳幼児に不快感を与えないものが好ましく、例えばフィルム型スイッチを使用することができる。特に、シート２０の上面に敷設された布製又は樹脂製のシートカバーの下方にシートセンサ１０２ａ、１０２ｂを設けることで、シートセンサ１０２ａ、１０２ｂが乳幼児に直接触れることを防止でき、乳幼児に不快感を与えることを一層効果的に防止できる。なお、ここでは、２つのシートセンサ１０２ａ、１０２ｂが平面的に異なる位置に配置されており、これら２つのシートセンサ１０２ａ、１０２ｂの両方によって乳幼児が検知された場合にのみ、シート２０に乳幼児が載置されているものと判定することで、乳幼児の載置状態を一層正確に検知している。ただし、シートセンサ１０２ａ、１０２ｂのいずれか一方のみで乳幼児の載置状態を正確に検知できる場合には、シートセンサ１０２ａ、１０２ｂの当該いずれか一方のみを設ければよい。さらには、シートセンサは、２個に限定されることなく、３個以上配置するようにしてもよい。
【００４５】
図４に示す着脱センサ１０３は、おむつ交換台１０の使用状態を検知する使用状態検知手段であり、より具体的には、乳幼児を載置するためにおむつ交換台１０に開閉自在に設けられたシート２０において乳幼児を固定するための固定ベルト２１の着脱状態を検知する着脱状態検知手段である。例えば、着脱センサ１０３は、着脱部２２の内部に設けられたものであって、固定ベルト２１の端部に設けられた金属製の図示しない係止片が着脱部２２の内部に挿入されたことを磁気的に検知するホールＩＣとして構成されており、着脱部２２に固定ベルト２１の係止片が挿入されている状態ではＯＮ、着脱部２２に固定ベルト２１の係止片が挿入されていない状態ではＯＦＦとなり、このことによって固定ベルト２１の着脱状態を検知する。
【００４６】
図４に示すスピーカ１０４は、利用者に対する所定音声を出力する音声出力手段である。このスピーカ１０４としては、例えば、圧電素子を用いた圧電スピーカを使用することができる。このスピーカ１０４の配置位置は任意であるが、本実施の形態１においては、取付ベース３０の内部であって、図２、３（ｃ）に示す音響孔２４に対応する位置に配置されており、スピーカ１０４から出力された音声が音響孔２４を介して音声告知装置１００の外部に出力される。
【００４７】
図４に示す記憶部１０５は、音声告知装置１００に必要になる各種のデータを記憶する記憶手段であり、例えば、ＲＯＭ（Ｒｅａｄ  Ｏｎｌｙ  Ｍｅｍｏｒｙ）やフラッシュメモリにて構成されている。この記憶部１０５には、図示は省略するが、後述する音声出力制御プログラムが記憶されている。また、記憶部１０５には、特に、スピーカ１０４から出力される音声データ１０５ａが記憶されている。なお、ここでは、音声データ１０５ａを一つのみ図示しているが、本実施の形態１では、スピーカ１０４から複数の音声が出力されるため、実際には、複数の音声データ１０５ａが記憶部１０５に記憶される。
【００４８】
図４に示す電池１０６は、音声告知装置１００の電源である。なお、本実施の形態においては、音声告知装置１００を既存のおむつ交換台１０に対して容易に取り付けできる構造とするため、音声告知装置１００を電池式としているが、おむつ交換台１０の周囲から商用電源が取得できる場合には、電池１０６に代えてあるいは電池１０６と共に、当該商用電源にて音声告知装置１００を駆動可能としてもよい。
【００４９】
図４に示す制御部１１０は、音声告知装置１００の各部を制御するための制御手段であり、例えば、ＣＰＵ（Ｃｅｎｔｒａｌ  Ｐｒｏｃｅｓｓｉｎｇ  Ｕｎｉｔ）を備えて構成されている。この制御部１１０は、機能概念的に、音声出力制御部１１０ａを備える。この音声出力制御部１１０ａは、使用状態検知手段の検知結果に基づいて、利用者に対して所定音声が出力されるように、音声出力手段を制御する音声出力制御手段である。この音声出力制御部１１０ａは、実際には、記憶部１０５に記憶された図示しない音声出力プログラムを制御部１１０にて解釈実行することで構成される。この音声出力制御部１１０ａによる具体的な処理の内容については後述する。
【００５０】
（音声出力制御処理）
次に、音声出力制御部１１０ａにて実行される音声出力制御処理について説明する。以下、ステップを「Ｓ」と略記する。なお、本実施の形態１においては、音声出力制御処理として、モード１とモード２の２つのモードが設定されており、これら２つのモードのうち、図示しないモード選択スイッチを介して管理者によって選択されたいずれか一方のモードによる音声出力制御処理が実行される。
【００５１】
（音声出力制御処理−モード１）
最初に、モード１による音声出力制御処理について説明する。このモード１による音声出力制御処理は、開閉センサ１０１にて検知されるシート２０の開閉状態と、着脱センサ１０３にて検知される固定ベルト２１の着脱状態とに基づいて、音声出力を制御する処理であり、モード２による音声出力制御処理に比べて一層簡易な処理である。図５は、モード１による音声出力制御処理のフローチャートの一例である。
【００５２】
最初に、音声出力制御部１１０ａは、開閉センサ１０１にてシート２０が開状態となったことが検知された場合には（ＳＡ１，Ｙｅｓ）、第１の所定時間（例えば３秒）が経過した時点で（ＳＡ２，Ｙｅｓ）、利用者に対する第１の音声の出力を行うと共に、第１の所定時間の経過を監視していた内部タイマをリセットする（ＳＡ３）。
【００５３】
具体的には、音声出力制御部１１０ａは、記憶部１０５から第１の音声に対応する音声データ１０５ａを取得し、当該取得した音声データ１０５ａをスピーカ１０４を介して出力させる（以下、各音声の出力を行う場合には同様の処理を行うものとする）。この時に出力する第１の音声は、おむつ交換台１０の正しい使用方法を利用者に報知するためのガイダンス音声であり、特に、おむつ交換台１０から乳幼児が落ちる可能性があることや、乳幼児を監視する必要性があることを、利用者に報知するための音声である。この音声の具体的な内容は任意であるが、例えば、「これはベビー用おむつ交換台です。落下防止のため、お子様から離れず、必ずベルトを締めてからご使用下さい。この音声はベルトを締めると止まります。」の如き音声を出力する。
【００５４】
次いで、音声出力制御部１１０ａは、着脱センサ１０３にて検知される固定ベルト２１の着脱状態を監視する（ＳＡ４）。そして、ＳＡ１においてシート２０が開かれたことが検知されてから、固定ベルト２１が装着されたことが着脱センサ１０３にて検知されることなく（ＳＡ４，Ｎｏ）、第２の所定時間（例えば５秒）が経過した場合には（ＳＡ５，Ｙｅｓ）、当該第２の所定時間が経過した時点で、利用者に対する第２の音声の出力を行うと共に、第２の所定時間の経過を監視していた内部タイマをリセットする（ＳＡ６）。この時に出力する第２の音声は、おむつ交換台１０の正しい使用方法を利用者に再び報知するためのガイダンス音声であり、その具体的な内容は任意であるが、例えば、ＳＡ３と同じ音声を出力する。以降、この状態のまま第２の所定時間が経過する毎に（ＳＡ５，Ｙｅｓ）、第２の音声を出力する（ＳＡ６）。
【００５５】
一方、音声出力制御部１１０ａは、ＳＡ１においてシート２０が開かれたことが検知されてから、上記第２の所定時間が経過する前に（ＳＡ５，Ｎｏ）、固定ベルト２１が装着されたことが着脱センサ１０３にて検知された場合には（ＳＡ４，Ｙｅｓ）、利用者がおむつ交換台１０を正しく使用しているものと考えられるので、開閉センサ１０１にてシート２０が閉じられたことがＳＡ７において検知されるまで、音声出力を行うことなく待機する。そして、開閉センサ１０１にてシート２０が閉じられたことが検知された場合（ＳＡ７，Ｙｅｓ）、ＳＡ１に戻る。これにて、モード１による一連の音声出力制御処理が終了する。
【００５６】
（音声出力制御処理−モード２）
次に、モード２による音声出力制御処理について説明する。このモード２による音声出力制御処理は、開閉センサ１０１にて検知されるシート２０の開閉状態と、２つのシートセンサ１０２ａ、１０２ｂにて検知される乳幼児の載置状態と、着脱センサ１０３にて検知される固定ベルト２１の着脱状態とに基づいて、音声出力を制御する処理であり、モード１による音声出力制御処理に比べて一層安全性に配慮した処理である。図６、７は、モード２による音声出力制御処理のフローチャートの一例である。
【００５７】
最初に、音声出力制御部１１０ａは、開閉センサ１０１にてシート２０が開状態となったことが検知された場合には（ＳＢ１，Ｙｅｓ）、第１の所定時間（例えば３秒）が経過した時点で（ＳＢ２，Ｙｅｓ）、利用者に対する第１の音声の出力を行うと共に、第１の所定時間の経過を監視していた内部タイマをリセットする（ＳＢ３）。
【００５８】
この時に出力する第１の音声は、おむつ交換台１０の正しい使用方法を利用者に報知するためのガイダンス音声であり、特に、おむつ交換台１０から乳幼児が落ちる可能性があることや、乳幼児を監視する必要性があることを、利用者に報知するための音声である。この音声の具体的な内容は任意であるが、例えば、「これはベビー用おむつ交換台です。落下防止のため、お子様から離れず、必ずベルトを締めてからご使用下さい。」の如き音声を出力する。
【００５９】
次いで、音声出力制御部１１０ａは、２つのシートセンサ１０２ａ、１０２ｂにて検知される乳幼児の載置状態を監視する（ＳＢ４）。そして、一つ以上のシートセンサ１０２ａ、１０２ｂがＯＮになっていない状態において（ＳＢ４、Ｎｏ）、固定ベルト２１が装着されたことが着脱センサ１０３にて検知されることなく（ＳＢ５，Ｎｏ）、第２の所定時間（例えば５秒）が経過した場合には（ＳＢ６，Ｙｅｓ）、当該第２の所定時間が経過した時点で、利用者に対する第２の音声の出力を行うと共に、第２の所定時間の経過を監視していた内部タイマをリセットする（ＳＢ７）。この時に出力する第２の音声は、シート２０に乳幼児を寝かせること、及び、その後に固定ベルト２１を装着することを、利用者に促すための音声であり、例えば、「お子様を寝かせてベルトを着用してください。」の如き音声を出力する。以降、この状態のまま第２の所定時間が経過する毎に（ＳＢ６，Ｙｅｓ）、第２の音声の出力と内部タイマのリセットを行う（ＳＢ７）。
【００６０】
あるいは、音声出力制御部１１０ａは、一つ以上のシートセンサ１０２ａ、１０２ｂがＯＮになっていない状態において（ＳＢ４、Ｎｏ）、固定ベルト２１が装着されたことが着脱センサ１０３にて検知された場合（ＳＢ５，Ｙｅｓ）、利用者に対する第３の音声の出力を行う（ＳＢ８）。この時に出力する第３の音声は、おむつ交換台１０の使用方法を誤っている可能性があることを利用者に報知するための音声であり、例えば、「お子様を寝かせてから、ベルトを着用してください。」の如き音声を出力する。
【００６１】
一方、音声出力制御部１１０ａは、一つ以上のシートセンサ１０２ａ、１０２ｂがＯＮになった状態になったことが検知された場合において（ＳＢ４、Ｙｅｓ）、固定ベルト２１が装着されたことが着脱センサ１０３にて検知されることなく（ＳＢ９，Ｎｏ）、第４の所定時間（例えば５秒）が経過した場合には（ＳＢ１０，Ｙｅｓ）、当該第４の所定時間が経過した時点で、利用者に対する第４の音声の出力を行うと共に、第４の所定時間の経過を監視していた内部タイマをリセットする（ＳＢ１２）。この時に出力する第４の音声は、固定ベルト２１を装着することを、利用者に促すための音声であり、例えば、「ベルトを着用してください。」の如き音声を出力する。以降、この状態のまま第４の所定時間が経過する毎に（ＳＢ１０，Ｙｅｓ）、第４の音声の出力と内部タイマのリセットを行う（ＳＢ１２）。
【００６２】
ただし、音声出力制御部１１０ａは、第４の所定時間の経過を繰り返し監視している間において、第５の所定時間（第４の所定時間より長い時間であり、例えば６０秒）が経過した場合には（ＳＢ１１，Ｙｅｓ）、利用者に対する第５の音声の出力を行うと共に、第５の所定時間の経過を監視していた内部タイマをリセットする（ＳＢ１３）。この時に出力する第５の音声は、おむつ交換台１０をおむつ交換以外の目的に誤使用しないように利用者に警告するための音声であり、例えば、「おむつ交換以外に使用しないで下さい。」の如き音声を出力する。以降、この状態のまま第５の所定時間が経過する毎に（ＳＢ１１，Ｙｅｓ）、第５の音声の出力と内部タイマのリセットを行う（ＳＢ１３）。
【００６３】
その後、音声出力制御部１１０ａは、固定ベルト２１が装着されたことが着脱センサ１０３にて検知された場合（ＳＢ９，Ｙｅｓ）、「ベルトが正しくセットされました。」の如き音声を出力する（ＳＢ１４）。なお、この場合には、音声出力を行うことなく待機するようにしてもよく、あるいは、快適な音楽等を流すことで幼児が不用意に動くことを抑制等するようにしてもよい。さらに、音声出力制御部１１０ａは、着脱センサ１０３による固定ベルト２１の着脱状態の検知結果に基づいて、固定ベルト２１が取り外されたか否かを継続的に監視すると共に（ＳＢ１５）、一つ以上のシートセンサ１０２ａ、１０２ｂがＯＮになっているか否かを継続的に監視する（ＳＢ１６、ＳＢ１９）。ここで、固定ベルト２１が取り外されておらず（ＳＢ１５，Ｎｏ）、かつ、一つ以上のシートセンサ１０２ａ、１０２ｂがＯＮになっている場合には（ＳＢ１６，Ｙｅｓ）、おむつ交換台１０が正しく使用されていると考えられるので、音声出力を行うことなく待機する。
【００６４】
しかしながら、固定ベルト２１が取り外されていないにも関わらず（ＳＢ１５，Ｎｏ）、いずれのシートセンサ１０２ａ、１０２ｂもＯＮではなくなった場合には（ＳＢ１６，Ｎｏ）、おむつ交換台１０の上で乳幼児が動いた可能性があり得る。従って、音声出力制御部１１０ａは、この状態になってから、第６の所定時間（例えば３秒間）が経過した時点で（ＳＢ１７，Ｙｅｓ）、利用者に対する第６の音声の出力を行うと共に、第６の所定時間の経過を監視していた内部タイマをリセットする（ＳＢ１８）。この時に出力する第６の音声は、おむつ交換台１０の上に乳幼児を正しく寝かせることを利用者に促すための音声であり、例えば、「お子様を寝かせて下さい。」の如き音声を出力する。以降、この状態のまま第６の所定時間が経過する毎に（ＳＢ１７，Ｙｅｓ）、第６の音声の出力と内部タイマのリセットを行う（ＳＢ１８）。
【００６５】
一方、音声出力制御部１１０ａは、固定ベルト２１が取り外されたことが着脱センサ１０３にて検知された場合において（ＳＢ１５，Ｙｅｓ）、一つ以上のシートセンサ１０２ａ、１０２ｂがＯＮになっている場合には（ＳＢ１９，Ｙｅｓ）、おむつ交換台１０に乳幼児を寝かせた状態のまま、固定ベルト２１が取り外されてしまったと考えられるため、この状態になってから、第７の所定時間（例えば３秒間）が経過した時点で（ＳＢ２０，Ｙｅｓ）、利用者に対する第７の音声の出力を行うと共に、第７の所定時間の経過を監視していた内部タイマをリセットする（ＳＢ２１）。この時に出力する第７の音声は、固定ベルト２１を再び装着することを、利用者に促すための音声であり、例えば、ＳＢ１２の第４の音声と同様に、「ベルトを着用してください。」の如き音声を出力する。以降、この状態のまま第７の所定時間が経過する毎に（ＳＢ２０，Ｙｅｓ）、第７の音声の出力と内部タイマのリセットを行う（ＳＢ２１）。
【００６６】
一方、音声出力制御部１１０ａは、固定ベルト２１が取り外されたことが着脱センサ１０３にて検知された後（ＳＢ１５，Ｙｅｓ）、さらに、いずれのシートセンサ１０２ａ、１０２ｂもＯＮではなくなったことが検知された場合には（ＳＢ１９，Ｎｏ）、開閉センサ１０１にてシート２０が閉状態となったことが検知されたか否かを継続的に監視する（ＳＢ２２）。
【００６７】
そして、シート２０が閉状態となったことが検知されることなく（ＳＢ２２，Ｎｏ）、第８の所定時間（例えば３秒）が経過した場合には（ＳＢ２３，Ｙｅｓ）、当該第８の所定時間が経過した時点で、利用者に対する第８の音声の出力を行うと共に、第８の所定時間の経過を監視していた内部タイマをリセットする（ＳＢ２４）。この時に出力する第８の音声は、シート２０を閉じることを、利用者に促すための音声であり、例えば、「シートを閉じて下さい。」の如き音声を出力する。
【００６８】
次いで、音声出力制御部１１０ａは、シート２０が閉状態となったことが検知されることなく（ＳＢ２５，Ｎｏ）、第９の所定時間（第８の所定時間より長い時間であり、例えば６０秒）が経過した場合には（ＳＢ２６，Ｙｅｓ）、当該第９の所定時間が経過した時点で、利用者に対する第９の音声の出力を行うと共に、第９の所定時間の経過を監視していた内部タイマをリセットする（ＳＢ２７）。この時に出力する第９の音声は、シート２０を閉じることを、利用者に促すための音声であり、例えば、ＳＢ２４の第８の音声と同様に、「シートを閉じて下さい。」の如き音声を出力する。以降、この状態のまま第９の所定時間が経過する毎に（ＳＢ２６，Ｙｅｓ）、第９の音声の出力と内部タイマのリセットを行う（ＳＢ２７）。
【００６９】
その後、音声出力制御部１１０ａは、ＳＢ２２又はＳＢ２５においてシート２０が閉状態となったことが検知された場合（ＳＢ２２，Ｙｅｓ）（ＳＢ２５，Ｙｅｓ）、ＳＢ１に戻る。これにて、モード２による一連の音声出力制御処理が終了する。なお、上述した実施の形態にあっては、モード１とモード２の二つのモードにおいて切り替えが可能な場合について説明したが、必ずしも二つのモードで切り替えが可能である必要はなく、どちらか一方のみであってもよく、さらには、三つ以上のモードに切り替えが可能な構成とすることもできる。
【００７０】
（実施の形態１の効果）
これまで説明したように、実施の形態１によれば、開閉センサ１０１、２つのシートセンサ１０２ａ、１０２ｂ、及び着脱センサ１０３の検知結果に基づいて、利用者に対して所定音声が自動的に出力されるので、おむつ交換台１０の使用に関する注意喚起を音声によって自動的に行うことができ、おむつ交換台１０の使用上の安全性を一層向上させることが可能になる。特に、注意喚起を音声出力によって行うことができるので、音声が利用者に届く限りにおいて、音声告知装置１００を任意の場所に設置することができる。このため、ステッカーのように利用者の目視範囲に設置する必要がなくなり、音声告知装置１００の設置場所を容易に確保できる。また、音声告知装置１００を利用者から隠れた場所に配置することも可能になるため、おむつ交換台１０やその周囲の構造物のデザイン性を維持することができる。さらに、視覚障害者に対しても注意喚起を行うことが可能となる。
【００７１】
また、シート２０の開閉状態に基づいて所定音声が自動的に出力されるので、シート２０が開かれている場合にはおむつ交換台１０の使用に関する注意喚起を自動的に行う等、シート２０の開閉状態に合致した注意喚起を行うことが可能となる。
【００７２】
また、乳幼児の載置状態に基づいて所定音声が自動的に出力されるので、乳幼児が載置されている場合にはおむつ交換台１０の使用に関する注意喚起を自動的に行う等、乳幼児の載置状態に合致した注意喚起を行うことが可能となる。
【００７３】
また、固定ベルト２１の着脱状態に基づいて所定音声が自動的に出力されるので、固定ベルト２１が装着されていない場合にはおむつ交換台１０の使用に関する注意喚起を自動的に行う等、固定ベルト２１の着脱状態に合致した注意喚起を行うことが可能となる。
【００７４】
また、シート２０が開かれたことが検知されている状態において、当該シート２０が開かれたことが検知されてから、固定ベルト２１が装着されたことが検知されることなく所定時間が経過した時点で所定音声が出力されるので、乳幼児の載置状態を検知するシートセンサ１０２ａ、１０２ｂを備えていないような比較的簡易な構成の音声告知装置１００であっても、シート２０が開かれていることに基づいて、乳幼児が載置されている可能性があるものと判定し、この場合に固定ベルト２１が装着されていない場合には固定ベルト２１の装着を促す音声出力等を行うことで、おむつ交換台１０の使用上の安全性を一層向上させることが可能になる。
【００７５】
また、シート２０が開かれたことが検知されている状態において、当該シート２０が開かれたことが検知されてから、乳幼児が載置されたことが検知されないまま、固定ベルト２１が装着されたことが検知されることなく所定時間が経過した時点で所定音声が出力されるので、シート２０が開かれているにも関わらず乳幼児の載置や固定ベルト２１の装着が行われないような場合であっても、シート２０が開かれた状態からのおむつ交換台１０の適切な使用方法をガイダンスする音声出力等を行うことで、おむつ交換台１０の使用上の安全性を一層向上させることが可能になる。
【００７６】
また、シート２０が開かれたことが検知されている状態において、乳幼児が載置されたことが検知されないまま、固定ベルト２１が装着されたことが検知された時点で所定音声が出力されるので、乳幼児が載置されていないにも関わらず固定ベルト２１のみが誤って装着されているような場合であっても、固定ベルト２１の適切な使用方法をガイダンスする音声出力等を行うことで、おむつ交換台１０の使用上の安全性を一層向上させることが可能になる。
【００７７】
また、シート２０が開かれたことが検知されている状態であり、かつ、乳幼児が載置されたことが検知されている状態において、当該乳幼児が載置されたことが検知されてから、固定ベルト２１が装着されたことが検知されることなく所定時間が経過した時点で所定音声が出力されるので、乳幼児が載置されているにも関わらず固定ベルト２１が装着されないような場合であっても、固定ベルト２１の適切な使用方法をガイダンスする音声出力等を行うことで、おむつ交換台１０の使用上の安全性を一層向上させることが可能になる。
【００７８】
また、シート２０が開かれたことが検知されている状態であり、乳幼児が載置されたことが検知されている状態であり、かつ、固定ベルト２１が装着されたことが検知されている状態において、当該乳幼児が載置されたことが検知されなくなった場合には、当該乳幼児が載置されたことが検知されなくなってから所定時間が経過した時点で所定音声が出力されるので、乳幼児を一旦載置させて固定ベルト２１も装着した後で、乳幼児が動いてシート２０の適切な位置からずれてしまったような場合であっても、乳幼児の載置状態を確認することを促す音声出力等を行うことで、おむつ交換台１０の使用上の安全性を一層向上させることが可能になる。
【００７９】
〔実施の形態２〕
次に、実施の形態２について説明する。この実施の形態２は、おむつ交換台の使用状態を検知する使用状態検知手段として、人感センサを設けた形態である。なお、実施の形態２の構造及び手順の中で、実際の形態１と同じ構造及び手順については、実際の形態１で使用したものと同じ符号を付すことにより、その説明を省略する。まず、各部の構成について説明し、その後、音声告知装置による音声出力制御処理について説明する。
【００８０】
（構成）
最初に、各部の構成について説明する。図８及び図９は、実施の形態２に係るおむつ交換台を壁体と共に示す全体斜視図であり、図８にはおむつ交換台の閉状態、図９にはおむつ交換台の開状態を示す。図１０は、おむつ交換台を示す図であり、（ａ）はおむつ交換台の閉状態における正面図、（ｂ）はおむつ交換台の開状態における側面図、（ｃ）はおむつ交換台の開状態における平面図である。これら図８から図１０に示すように、壁体１に対しておむつ交換台５０が固定されており、このおむつ交換台５０には音声告知装置２００が取り付けられている。
【００８１】
おむつ交換台５０は、概略的に、実施の形態１と同様に、シート２０、取付ベース３０、及び固定脚４０を備えて構成されている。
【００８２】
（構成−音声告知装置）
次に、音声告知装置２００の構成について説明する。この音声告知装置２００は、おむつを交換する利用者に対する告知音声を自動的に出力するための装置であり、おむつ交換台５０に取り付けられている。図１１は、図１０（ａ）の音声告知装置２００の周辺の拡大図、図１２は、音声告知装置２００の電気的構成を機能概念的に示すブロック図である。これら図１１、１２に示すように、音声告知装置２００は、開閉センサ２０１、人感センサ２０２、スピーカ２０３、開閉表示灯２０４、電池電圧低下表示灯２０５、音声出力表示灯２０６、記憶部２０７、電池２０８、及び制御部２１０を備えて構成されており、これら各部が図１２に示すように相互に電気的に接続されている。ただし、特記する構成を除き、開閉センサ２０１、スピーカ２０３、記憶部２０７、電池２０８、制御部２１０は、それぞれ、実施の形態１の開閉センサ１０１、スピーカ１０４、記憶部１０５、電池１０６、制御部１１０とそれぞれ同様に構成されており、記憶部２０７には音声データ２０７ａが記憶されており、制御部２１０は、機能概念的に、音声出力制御部２１０ａを備える。
【００８３】
人感センサ２０２は、おむつ交換台５０に載置された乳幼児に対しておむつの交換作業を行なう利用者を検知する利用者検知手段である。具体的には、人感センサ２０２は、焦電タイプの赤外線センサとして構成されており、赤外光による焦電素子の温度変化に伴って、当該焦電素子に帯電する電荷が増減することを利用して、利用者の検知を行なう。なお、ここで使用されるセンサの種類は、人を感知する機能を備えた近接センサーであればよく、センサの種類には限定されるものではない。
【００８４】
特に、人感センサ２０２の検出範囲については、外乱の影響を避けるために種々の工夫が施されている。この外乱の要因としては、おむつ交換台５０に載置された乳幼児と、おむつ交換台５０の周囲に居る利用者以外の第三者を挙げることができる。まず、乳幼児を誤って検知することを防止するため、人感センサ２０２は、図１１に示すように、開状態におけるシート２０の下方に配置されており、このことによって、シート２０に載置された乳幼児が人感センサ２０２にて誤検知されることが防止されている。また、第三者を誤って検知することを防止するため、人感センサ２０２の検知範囲は、利用者が居ると想定される範囲のみを検知し、当該範囲以外については検知範囲外となるように設定されている。なお、人感センサ２０２の設置位置は、必ずしもシート２０の下方である必要はない。
【００８５】
図１３は人感センサ２０２の検知範囲を示す図であり、（ａ）は閉状態のおむつ交換台５０の正面図と共に示す図、（ｂ）は開状態のおむつ交換台５０の側面図と共に示す図、（ｃ）は開状態のおむつ交換台５０の平面図と共に示す図であり、これら各図における一点鎖線が検知範囲の外縁を示す。多くの場合、シート２０の正面中央位置に利用者が立っていると想定されることから、当該正面中央位置のみが検知範囲となるように人感センサ２０２の検知範囲が設定されている。例えば、図１３（ａ）の角度αを約８０度から約１２０度、図１３（ｂ）の角度βを約３０度から約６０度、図１３（ｃ）の角度γを約１４０度から約１８０度とする。
【００８６】
ただし、利用者を検知する手段としては、赤外線センサ以外の人感センサ（例えば超音波式や可視光式の人感センサ）２０２を用いることもできる。例えば、音声告知装置２００が取り付けられる洗面所等の天井に防犯用の人感センサ２０２が既設されている場合には、当該防犯用の人感センサ２０２からの出力を取り込んでもよい。
【００８７】
図１２の開閉表示灯２０４は、シート２０が開かれた場合に点灯又は点滅される表示手段であり、電池電圧低下表示灯２０５は、電池２０８の電圧低下を示すために点灯又は点滅される表示手段であり、音声出力表示灯２０６は、スピーカ２０３から音声出力が行われている場合に点灯又は点滅される表示手段である。このうち、開閉表示灯２０４及び音声出力表示灯２０６の表示タイミングは後述する。電池電圧低下表示灯２０５は、制御部２１０が所定間隔で電池２０８の電圧を監視しており、当該電圧が所定電圧以下に低下した場合に制御部２１０の制御によって点灯又は点滅される。
【００８８】
このように構成された音声告知装置２００は、図１１に示すように、筐体２２０に一体化されることでユニット構造とされ、おむつ交換台５０とは切り離した形で製造及び流通が可能であると共に、既存のおむつ交換台５０に対しても用意に取り付け可能となっている。例えば、音声告知装置２００は、上述のように電源についても電池２０８を内蔵しており、他の電気的素子についても外部との接続が不要であるため、おむつ交換台５０やその他の外部装置との間において電気的接続を行うことなく、取り付けが可能となっている。また例えば、音声告知装置２００は、筐体２２０をシート２０に対して外部からネジ等することで、取り付けを行うことができる。
【００８９】
（音声出力制御処理）
次に、音声出力制御部２１０ａにて実行される音声出力制御処理について説明する。図１４は、音声出力制御処理のフローチャートの一例である。音声出力制御部２１０ａは、開閉センサ２０１によるシート２０の開閉状態の検知結果を監視しており（ＳＣ１）、シート２０が開状態となったことが検知された場合には（ＳＣ１，Ｙｅｓ）、開閉表示灯２０４を点滅又は点灯させた後、利用者に対する第１の音声の出力を行う（ＳＣ２）。また音声出力制御部２１０ａは、音声出力表示灯２０６を短時間だけ点滅又は点灯させる。
【００９０】
この際に出力させる音声データ１０５ａの具体的内容は任意であるが、例えば、おむつ交換台５０に載置された乳幼児に対する注意を利用者に対して喚起するための音声であり、「お子様から離れないで下さい。」のような音声を出力することができる。また、シート２０が開状態となった場合には、後述するＳＣ６においてシート２０が閉状態となったものと判定されるまで、乳幼児をリラックスさせる音声や音楽をスピーカ２０３から出力させることで、乳幼児の寝返りを防止しておむつ交換台５０からの移動を防止する等してもよい。
【００９１】
次いで、音声出力制御部２１０ａは、人感センサ２０２よる利用者の感知結果を監視し（ＳＣ３）、利用者が停止していることが検出された場合（具体的には、人感センサ２０２である焦電センサからの出力がなくなった場合）（ＳＣ３，Ｙｅｓ）、利用者がおむつ交換台５０から離れた可能性があるため、当該停止した状態のまま所定時間（例えば５秒間）以上経過したか否かを判断する（ＳＣ４）。ここで、所定時間が経過する以前に、利用者が人感センサ２０２にて再び感知された場合（具体的には、人感センサ２０２である焦電センサからの再出力があった場合）（ＳＣ３，Ｎｏ）、利用者はおむつ交換台５０から離れていないものと判断できるので、経過時間のタイマをリセットした後、音声出力を行うことなく、ＳＣ６に移行する。
【００９２】
一方、音声出力制御部２１０ａは、利用者が停止した状態のまま所定時間が経過した場合には（ＳＣ４，Ｙｅｓ）、当該所定時間が経過した時点で、利用者はおむつ交換台５０から所定時間継続して離れているために乳幼児の安全性が低下した可能性があると判断できるので、音声利用者に対する告知音声の出力を行うと共に、経過時間のタイマをリセットする（ＳＣ５）。また同時に、音声出力表示灯２０６を短時間だけ点滅又は点灯させる。ここで出力する音声は、利用者におむつ交換台５０から離れることがないように警告を行うための音声であり、例えば、ＳＣ２と同様に、「お子様から離れないで下さい。」のような音声を出力することができる。
【００９３】
また、音声出力制御部２１０ａは、利用者の停止を監視している間にシート２０が閉状態となったことが検知された場合には（ＳＣ６，Ｙｅｓ）、おむつ交換台５０の利用が終了したと判断できるので、開閉表示灯２０４を消灯させた後、ＳＣ１に戻る。これにて、一連の音声出力制御処理が終了する。
【００９４】
（実施の形態２の効果）
このように実施の形態２によれば、利用者の検知状態に基づいて音声出力が行われるので、利用者の存否やその動作状態を感知でき、利用者がおむつ交換台５０から離れた場合にのみ音声出力を行う等、利用者の状態に応じた適切なタイミングで音声出力を行うことができる。
【００９５】
また、人感センサ２０２によって利用者を検知できるので、利用者の存否やその動作状態を感知でき、これら利用者の状態に応じた音声出力を行うことができる。
【００９６】
また、利用者が所定時間以上停止した場合に所定音声を出力するので、利用者がおむつ交換台５０を離れた可能性が高い場合にのみ音声出力を行うことができ、不用意に音声出力を行って利用者を煩わせることを防止できる。
【００９７】
〔変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００９８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９９】
（各実施の形態の相互の関係について）
各実施の形態は相互に組み合わせることができる。例えば、実施の形態１の音声告知装置１００におけるシートセンサ１０２ａ、１０２ｂを、実施の形態２の音声告知装置２００に配置し、この音声告知装置２００において、開閉センサ２０１、人感センサ２０２、及びシートセンサ１０２ａ、１０２ｂの検知結果に基づいて音声出力制御を行うようにしてもよい。
【０１００】
（おむつ交換台と音声告知装置について）
音声告知装置１００、２００は、必ずしもおむつ交換台１０、５０に組み込み可能とする構造に限定されず、おむつ交換台１０、５０とは別体に構成して、壁体１に固定したり、床置きしてもよい。また、音声告知装置１００、２００をおむつ交換台１０、５０に組み込む場合、シート２０の内部に音声告知装置１００、２００の全ての要素を一体に組み込んで、シート２０のみを交換することで、既存のおむつ交換台５０に本発明に係る音声告知機能を持たせてもよい。あるいは、おむつ交換台５０の他の部分に一体に音声告知装置１００、２００を組み込んでもよく、例えば、固定脚４０の内部に音声告知装置１００、２００の全ての要素を組み込んでもよい。
【０１０１】
（使用状態検知手段について）
実施の形態１では、使用状態検知手段としては、開閉センサ１０１、シートセンサ１０２ａ、１０２ｂ、及び着脱センサ１０３を設けているが、いずれか一部を省略したり、他の任意の使用状態検知手段を加えてもよい。例えば、図５に示したモード１による音声出力制御処理は、乳幼児の載置状態を検知する載置状態検知手段であるシートセンサ１０２ａ、１０２ｂを備えていないような比較的簡易な構成の音声告知装置１００であっても実行することが可能な処理であり、このようにシートセンサ１０２ａ、１０２ｂを省略しても、音声出力制御処理を行うことが可能である。
【０１０２】
また、使用状態検知手段を構成する各センサの具体的な検知原理や構造としては、上述の検知原理や構造以外のものを適用してもよい。例えば、開閉センサ１０１としては、磁気センサに代えて有接点スイッチを用いてもよく、シート２０が開かれた場合に当該シート２０にてリードスイッチを押圧してその接点をＯＮとすることで、シート２０が開かれたことを検知してもよい。
【０１０３】
（音声出力手段の出力条件について）
実施の形態２では、人感センサ２０２によって利用者が所定時間以上停止していることを検知された場合に音声出力を行っているが、人感センサ２０２を省略し、おむつ交換台１０に対する乳幼児の載置状態のみに基づいて音声出力を行ってもよい。例えば、開閉センサ１０１によってシート２０が開状態であることが検知された場合には、閉状態であることが検知される迄、所定間隔（例えば２０秒間隔）で音声出力を繰り返してもよい。
【０１０４】
（音声出力手段について）
各音声出力をその重要度に応じた音量で出力するようにしてもよい。例えば、実施の形態２では、図１４のＳＣ５で出力する音声を、ＳＣ２で出力する音声と同様としてもよい旨を説明したが、ＳＣ５の場合はＳＣ２の場合よりも注意喚起の必要性が高いと考えられるため、ＳＣ２における音声出力の音量より大きな音量で出力したり、ＳＣ２の音声よりも注意喚起度が強い内容の音声データによって音声出力を行ってもよい。
【０１０５】
（音声出力のタイミング及び内容について）
音声出力のタイミング及び内容は、任意に変更することが可能である。例えば、シート２０が閉状態となったものと判定された場合には、利用者に対してシート交換台の利用終了時の注意喚起や利用謝意を示すための音声出力を行うようにしてもよく、例えば「忘れものにご注意下さい。ご利用ありがとうございました。」のような音声を出力してもよい。また、音声出力の停止のタイミングについても変更可能であり、例えば、上記説明した各音声出力の一部又は全部に関して、当該音声出力による注意喚起が実行された時点で（当該音声出力を行った際の条件の少なくとも一部が充足されない状態となった時点で）、当該音声出力を停止するようにしてもよい。例えば、図６のＳＢ１２においては、ベルトが装着されていない場合であって（ＳＢ９、Ｎｏ)、第４の所定時間が経過した場合に（ＳＢ１０、Ｙｅｓ）、第４の音声を出力しているが、この第４の音声の出力途中であっても、ベルトが装着された場合には（ＳＢ９、Ｙｅｓ）、当該第４の音声を即座に停止してもよい。
【符号の説明】
【０１０６】
１  壁体
１０、５０  おむつ交換台
２０  シート
２１  固定ベルト
２２  着脱部
２３  端部
２４  音響孔
３０  取付ベース
４０  固定脚
１００、２００  音声告知装置
１０１、２０１  開閉センサ
１０２ａ、１０２ｂ  シートセンサ
１０３  着脱センサ
１０４、２０３  スピーカ
１０５、２０７  記憶部
１０５ａ、２０７ａ  音声データ
１０６、２０８  電池
１１０、２１０  制御部
１１０ａ、２１０ａ  音声出力制御部
２０２  人感センサ
２０４  開閉表示灯
２０５  電池電圧低下表示灯
２０６  音声出力表示灯
２２０  筐体
【図１】
0005481212.tif 000002
【図２】
0005481212.tif 000003
【図３】
0005481212.tif 000004
【図４】
0005481212.tif 000005
【図５】
0005481212.tif 000006
【図６】
0005481212.tif 000007
【図７】
0005481212.tif 000008
【図８】
0005481212.tif 000009
【図９】
0005481212.tif 000010
【図１０】
0005481212.tif 000011
【図１１】
0005481212.tif 000012
【図１２】
0005481212.tif 000013
【図１３】
0005481212.tif 000014
【図１４】
0005481212.tif 000015